(57)【特許請求の範囲】
【請求項１】
機器筐体に対して格納位置と展開位置との間を回動自在に支承されたサブモジュールを備えて成る電子機器において、
前記機器筐体に前記サブモジュールを支持する支承軸と軸受孔との間に、一方側保持係合部の形成されたディテントバネを、前記支承軸および前記軸受孔の一方に固定して介装するとともに、
前記支承軸および前記軸受孔の他方に、前記ディテントバネの一方側保持係合部と係合して、前記サブモジュールを少なくとも前記格納位置および前記展開位置に保持する他方側保持係合部を形成し、
前記サブモジュール側に形成した前記支承軸の外周に、前記ディテントバネを固定設置するとともに、前記ディテントバネは、前記支承軸の外周部に形成された係止溝に係合する一対の係合爪がリング部の両端に形成されており、前記ディテントバネにおける前記一方側保持係合部を前記一対の係合爪の中間部において前記リング部の径外方向に突出するディテント突起により形成し、
前記機器筐体側に形成した前記軸受孔の内周に、前記ディテントバネの前記ディテント突起と係合する前記他方側保持係合部をディテント溝により形成することを特徴とする電子機器。
【請求項２】
前記支承軸の外周において前記ディテントバネの前記ディテント突起と対応する部位に、前記ディテント突起の変形を許容する逃げ部を形成したことを特徴とする請求項１記載の電子機器。
【発明の詳細な説明】
【技術分野】
【０００１】
本発明は、機器筐体に対して格納位置と展開位置との間を回動自在に支承されたサブモジュールを備えて成る電子機器に関し、詳しくはサブモジュールを格納位置および展開位置に保持するためのディテント機構に関するものである。
【背景技術】
【０００２】
昨今の電子機器、例えばカメラ機能を備えた携帯電話機においては、様々な撮影スタイルの実現を目的として、レンズ等のカメラ機構を収容したカメラモジュール(サブモジ
ュール)を、機器筐体に対して格納位置と展開位置との間で回動自在に支承したものが提
供されている(例えば、特許文献１参照)。
【０００３】
図１４に示した従来の携帯電話機Ａは、機器筐体Ｂの端部にカメラモジュール(サブモ
ジュール)Ｃを備えており、このカメラモジュールＣは、(ａ)に示す如くレンズ部Ｃｌを
正面に向けた格納位置と、(ｂ)に示す如くレンズ部Ｃｌを背面に向けた格納位置との間を、軸ｏ−ｏを中心として反転し得る態様で回動自在に支承されている。
【０００４】
また、上記カメラモジュールＣは、後述するディテント機構により、図１４(ａ)における格納位置と、図１４(ｂ)における展開位置とにおいて保持されるよう構成されている。
【０００５】
図１５および図１６に示す如く、上記カメラモジュールＣは、該カメラモジュールＣに固設されたロッドＲを介して、機器筐体Ｂ(図１４参照)に設置されたホルダＨに支承されており、このホルダＨからは、カメラモジュールＣに接続されたフレキシブル基板Ｅが引き出されている。
【０００６】
上記ロッドＲに固設されたガイドＧには、スライダＳが軸方向移動自在かつ回動不可能に係合しており、このスライダＳはホルダＨの内部において移動自在に収容されている。
【０００７】
また、上記スライダＳは、ガイドＧとの間に介装された圧縮バネＦによって、ホルダＨの底面に向けて付勢されており、上記ホルダＨに形成されたディテント突起Ｈｐと、スライダＳのディテント溝Ｓｇとを係合させることで、カメラモジュールＣを格納位置あるいは展開位置に保持させるよう構成されている。
【特許文献１】特開２００５−９０７０７号公報
【発明の開示】
【発明が解決しようとする課題】
【０００８】
ところで、従来の携帯電話機Ａにおいては、カメラモジュールＣを格納位置と展開位置とに保持させるディテント機構が、上述した如くディテント突起Ｈｐを形成したホルダＨ、ディテント溝Ｓｇを形成したスライダＳ、スライダＳを案内するガイドＧ、および上記スライダＳを付勢する圧縮バネＦ等、多くの部品から構成されているために、構造の複雑化を招くばかりでなく、上述した構成部品が、ロッドＲに沿ってレイアウトされていることから、スペースを占有する問題があった。
【０００９】
本発明は上記実状に鑑みて、機器筐体に対して格納位置と展開位置との間を回動自在に支承されたサブモジュールを備えて成る電子機器を対象とし、上記サブモジュールを格納位置と展開位置とに保持するディテント機構の簡易化や、省スペース化等を達成することの可能な、電子機器の提供を目的とするものである。
【課題を解決するための手段】
【００１０】
請求項１の発明に関わる電子機器は、機器筐体に対して格納位置と展開位置との間を回動自在に支承されたサブモジュールを備えて成る電子機器において、機器筐体にサブモジュールを支持する支承軸と軸受孔との間に、一方側保持係合部の形成されたディテントバネを、支承軸および軸受孔の一方に固定して介装するとともに、支承軸および軸受孔の他方に、ディテントバネの一方側保持係合部と係合して、サブモジュールを少なくとも格納位置および展開位置に保持する他方側保持係合部を形成し、前記サブモジュール側に形成した前記支承軸の外周に、前記ディテントバネを固定設置するとともに、前記ディテントバネは、前記支承軸の外周部に形成された係止溝に係合する一対の係合爪がリング部の両端に形成されており、前記ディテントバネにおける前記一方側保持係合部を前記一対の係合爪の中間部において前記リング部の径外方向に突出するディテント突起により形成し、前記機器筐体側に形成した前記軸受孔の内周に、前記ディテントバネの前記ディテント突起と係合する前記他方側保持係合部をディテント溝により形成することを特徴としている。
【００１２】
請求項２の発明に関わる電子機器は、請求項１の発明に関わる電子機器において、支承軸の外周においてディテントバネのディテント突起と対応する部位に、ディテント突起の変形を許容する逃げ部を形成したことを特徴としている。
【発明の効果】
【００１３】
請求項１の発明に関わる電子機器では、支承軸と軸受孔との間に介装したディテントバネの一方側保持係合部と、支承軸あるいは軸受孔の一方に形成した他方側保持係合部との組合せから、サブモジュールを位置決めするディテント機構を構成したことで、従来の電子機器に比べてディテント機構の部品点数が少なく構造が簡易であり、また省スペースをも達成することが可能となる。
【００１４】
請求項２の発明に関わる電子機器では、サブモジュール側の支承軸に固定したディテントバネに、一方側保持係合部としてディテント突起を形成し、機器筐体側の軸受孔の内周に、他方側保持係合部としてディテント溝を形成したことで、従来の電子機器に比べてディテント機構の部品点数が少なく構造が簡易であり、また省スペースをも達成することが可能となる。
【００１５】
請求項３の発明に関わる電子機器では、支承軸の外周にディテント突起の変形を許容する逃げ部を形成したことで、サブモジュールの回動時においてディテントバネのディテント突起が容易に変形し、もって上記サブモジュールをスムーズに回動させることが可能となる。
【発明を実施するための最良の形態】
【００１６】
以下、実施例を示す図面に基づいて、本発明を詳細に説明する。  
図１〜図３は、電子機器の一態様である携帯電話機に本発明を適用した実施例を示しており、この携帯電話機１における機器筐体は、中央ケース１Ｍと、該中央ケース１Ｍ前方の正面ケース１Ｆと、中央ケース１Ｍ後方の背面ケース１Ｂとから構成されている。
【００１７】
上記携帯電話機１の正面ケース１Ｆには、大型の液晶表示画面１ｄ、複数の操作キーを備えた操作部１ｋ、および受話部１ｒと送話部１ｍ等が設けられており、一方、上記携帯電話機１の背面ケース(機器筐体)１Ｂには、サブモジュールであるカメラモジュール１０が設置されている。
【００１８】
上記カメラモジュール１０は、レンズや撮像素子等のカメラ機構を収容しており、図１に示す如く、背面ケース１Ｂと面一となる態様で格納された格納位置と、図２および図３に示す如く、背面ケース１Ｂから突出する態様で展開する展開位置との間を、上記背面ケース(機器筐体)１Ｂに対して回動自在に支承されている。
【００１９】
また、上記カメラモジュール１０は、後に詳述するディテント機構により、上述した格納位置(図１)と、展開位置(図２および図３)とにおいて保持されるよう構成されている。
【００２０】
なお、上述した携帯電話機１においては、通常のカメラ撮影モード時、カメラモジュール１０を格納位置とし、上記カメラモジュール１０のレンズ部１０ｌを背面に向けた態様で使用される。
【００２１】
一方、静止画や動画の自分撮りモード時、あるいはテレビ電話モード時においては、カメラモジュール１０を展開位置とし、上記カメラモジュール１０のレンズ部１０ｌを正面に向けた態様で使用される。
【００２２】
図４に示す如く、上記カメラモジュール１０は、背面ケース１Ｆに装着されて実質的に機器筐体を構成するモジュールホルダ２０に組み付けられており、上記カメラモジュール１０とモジュールホルダ２０とによって、カメラモジュールアセンブリ１００が構成されている。
【００２３】
カメラモジュール１０とモジュールホルダ２０とから成るカメラモジュールアセンブリ１００では、図５に示す如く、カメラモジュール１０をモジュールホルダ２０に収納した状態において、上記カメラモジュール１０は格納位置(図１参照)に保持されることとなり、また、図６に示す如く、カメラモジュール１０を１８０°反転させた状態において、上記カメラモジュール１０は展開位置(図２および図３参照)に保持されることとなる。
【００２４】
図７に示す如く、上記カメラモジュールアセンブリ１００を構成するカメラモジュール１０は、一方端を半円柱形状に丸めた略直方体を呈するケーシングの内部に、レンズや撮像素子等のカメラ機構を収容して成り、上記ケーシングの正面１０ｆにはレンズ部１０ｌが配設されている。
【００２５】
また、上記カメラモジュール１０における一方端の上下には、支承軸１１および支承軸１２が突出形成されており、上記支承軸１１には、後に詳述するディテントバネ３０が装着されている。
【００２６】
なお、上記カメラモジュール１０における一方端の外表面には、使用者が指を掛けることによって、カメラモジュール１０を回動させ易くするための、ローレット溝１０ｒ、１０ｒ…が形成されている。
【００２７】
一方、カメラモジュールアセンブリ１００を構成するモジュールホルダ２０は、上記カメラモジュール１０を収容し得る箱形状を呈しており、上側板２０ｕに突出形成されたブラケット２０ｂには、カメラモジュール１０の支承軸１１を支持する軸受孔２１が形成されている。
【００２８】
また、モジュールホルダ２０の下側板２０ｌには、カメラモジュール１０の支承軸１２を支持する半月溝２０ａが形成されており、上記支承軸１１が軸受孔２１に嵌入して支持され、かつ上記支承軸１２が半月溝２０ａに係合して支持されることで、上記カメラモジュール１０は、モジュールホルダ２０に対して、回動自在に支承されている。
【００２９】
図８および図９に示す如く、上述したカメラモジュール１０の支承軸１１には、リングバネから構成されたディテントバネ３０が装着されており、このディテントバネ３０は、上記カメラモジュール１０の支承軸１１が、上述したモジュールホルダ２０の軸受孔２１に嵌入している状態において、上記支承軸１１と上記軸受孔２１との間に介装されることとなる。
【００３０】
上記ディテントバネ３０は、支承軸１１の外周に倣ったリング部３０ａと、端部を折り曲げた一対の係合爪３０ｐとを有するとともに、一方側保持係合部としてのディテント突起３０ｄが径外方向へ膨出する態様で形成されている。
【００３１】
また、上記ディテントバネ３０の装着される支承軸１１には、上記係合爪３０ｐ、３０ｐと係合して、支承軸１１に対するディテントバネ３０の回転を防止する係止溝１１ｇが形成されているとともに、ディテントバネ３０が装着された状態において、上記ディテント突起３０ｄと対応する部位に、後述するカメラモジュール１０の回動時において、上記ディテント突起３０ｄの変形を許容する逃げ部１１ｈが切欠き形成されている。
【００３２】
一方、図１０に示す如く、上述したモジュールホルダ２０のブラケット２０ｂに形成された軸受孔２１は、カメラモジュール１０の支承軸１１に装着されたディテントバネ３０のリング部３０ａに倣った円筒部２１ａを有するとともに、該円筒部２１ａの上方と下方とには、ディテントバネ３０のディテント突起３０ｄと係合する、他方側保持係合部としてのディテント溝２１ｄ、２１ｄが、互いに１８０°の中心角を設定した部位に各々陥没形成されている。
【００３３】
上述したカメラモジュール１０の支承軸１１に装着されたディテントバネ３０のディテント突起３０ｄと、モジュールホルダ２０の軸受孔２１に形成されたディテント溝２１ｄとの組合せによって、上記カメラモジュール１０を格納位置と展開位置とにおいて保持するためのディテント機構が構成されている。
【００３４】
上述した構成の携帯電話機１において、カメラモジュール１０が格納位置に占位している状態においては、図１１に示す如く、上記カメラモジュール１０はモジュールホルダ２０に収容されており、このとき、モジュールホルダ２０における軸受孔２１の下側のディテント溝２１ｄに、カメラモジュール１０の支承軸１１に装着されたディテントバネ３０のディテント突起３０ｄが係合することにより、上記カメラモジュール１０は格納位置において保持されることとなる。
【００３５】
一方、カメラモジュール１０が展開位置に占位している状態においては、図１２に示す如く、上記カメラモジュール１０はモジュールホルダ２０から張り出しており、このとき、モジュールホルダ２０における軸受孔２１の上側のディテント溝２１ｄに、カメラモジュール１０の支承軸１１に装着されたディテントバネ３０のディテント突起３０ｄが係合することにより、上記カメラモジュール１０は展開位置において保持されることとなる。
【００３６】
ここで、上記カメラモジュール１０を格納位置から展開位置へ回動させる際、あるいは展開位置から格納位置へ回動させる際、図１３に示す如く、カメラモジュール１０をモジュールホルダ２０に対して約９０°回動させた状態では、ディテントバネ３０のディテント突起３０ｄは、軸受孔２１のディテント溝２１ｄから抜け出て、軸受孔２１の円筒部２１ａに接触することにより、押し潰されるようにして変形している。
【００３７】
このとき、支承軸１１に逃げ部１１ｈが形成されていることによって、ディテントバネ３０のディテント突起３０ｄが容易に変形し得るために、上記カメラモジュール１０をスムーズに回動させることが可能となる。
【００３８】
また、押し潰されるように変形したディテントバネ３０の弾性復帰力により、ディテント突起３０ｄが軸受孔２１の円筒部２１ａに圧接することで、ブラブラ感やガタつきを生じることなく、カメラモジュール１０を回動させることが可能となる。
【００３９】
図１３に示した状態から、上記カメラモジュール１０を格納位置、あるいは展開位置へ回動させた際、押し潰されるように変形していたディテントバネ３０のディテント突起３０ｄが、弾性復帰力によって軸受孔２１のディテント溝２１ｄに係合することで、上記カメラモジュール１０が格納位置、あるいは展開位置において保持されることとなる。
【００４０】
ここで、カメラモジュール１０が格納位置、あるいは展開位置に保持された際、ディテント突起３０ｄがディテント溝２１ｄに嵌合することで、使用者の手にはクリック感が得られることとなり、カメラモジュール１０が所定の位置において保持されたことを、必ずしも目視を必要とせずに確認することが可能となる。
【００４１】
上述した構成の携帯電話機１では、カメラモジュール１０の支承軸１１と、モジュールホルダ２０の軸受孔２１との間に介装したディテントバネ３０のディテント突起(一方側
保持係合部)３０ｄと、モジュールホルダ２０の軸受孔２１に形成したディテント溝(他方側保持係合部)２１ｄとの組合せから、カメラモジュール１０を位置決めするディテント
機構を構成したことで、従来の電子機器に比べてディテント機構の部品点数が少なく構造が簡易であり、また省スペースをも達成することが可能となる。
【００４２】
また、上述した携帯電話機１では、カメラモジュール１０の支承軸１１に固定したディテントバネ３０に、一方側保持係合部としてディテント突起３０ｄを形成し、モジュールホルダ２０の軸受孔２１の内周に、他方側保持係合部としてディテント溝２１ｄを形成したことで、従来の電子機器に比べてディテント機構の部品点数が少なく構造が簡易であり、また省スペースをも達成することが可能となる。
【００４３】
また、上述した携帯電話機１では、カメラモジュール１０における支承軸１１の外周に、ディテントバネ３０におけるディテント突起３０ｄの変形を許容する逃げ部１１ｈを形成したことで、カメラモジュール１０の回動時、ディテントバネ３０のディテント突起３０ｄが容易に変形し、該ディテント突起３０ｄが軸受孔２１の内周に引っ掛かることなく、もって上記カメラモジュール１０をスムーズに回動させることが可能となる。
【００４４】
なお、上述した実施例においては、カメラモジュール１０に支承軸１１を形成する一方、モジュールホルダ２０に軸受孔２１を形成し、カメラモジュール１０の支承軸１１にディテントバネ３０を固定するよう構成しているが、上記ディテントバネ３０をモジュールホルダ２０の軸受孔２１に固定するよう構成することも可能であり、また、モジュールホルダ２０に支承軸を形成する一方、カメラモジュール１０に軸受孔を形成し、これら支承軸および軸受孔のどちらか一方にディテントバネ３０を固定するよう構成しても良い。
【００４５】
また、上述した実施例においては、カメラモジュール１０を格納位置と展開位置との２位置において保持するべく、モジュールホルダ２０における軸受孔２１の内周にディテント溝２１ｄを２箇所形成しているが、これらディテント溝２１ｄの設置個数は、所望するカメラモジュール１０の保持位置の箇所数に合わせて、適宜に設定し得ることは言うまでもない。
【００４６】
さらに、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、例えばカメラモジュール等のサブモジュールを、機器筐体に対して格納位置と展開位置との間を回動自在に支承して成る様々な電子機器に対しても、本発明を極めて有効に適用し得ることは勿論である。
【図面の簡単な説明】
【００４７】
【図１】(ａ)、(ｂ)、(ｃ)および(ｄ)は、本発明に関わる電子機器の一例である携帯電話機の一実施例を示す左側面図、正面図、右側面図および背面図。
【図２】(ａ)および(ｂ)は、図１の携帯電話機において、カメラモジュールを格納位置とした状態の上面図および正面図。
【図３】(ａ)および(ｂ)は、図１の携帯電話機において、カメラモジュールを展開位置とした状態の上面図および背面図。
【図４】図１の携帯電話機における、背面ケースおよびカメラモジュールアセンブリを示す分解斜視図。
【図５】(ａ)、(ｂ)および(ｃ)は、カメラモジュールを格納位置とした状態のカメラモジュールアセンブリの上面図、正面図、および端面図。
【図６】(ａ)、(ｂ)および(ｃ)は、カメラモジュールを展開位置とした状態のカメラモジュールアセンブリの上面図、正面図、および端面図。
【図７】カメラモジュールアセンブリの分解斜視図。
【図８】(ａ)、(ｂ)および(ｃ)は、カメラモジュールの正面図、側面図、および要部拡大側面図。
【図９】(ａ)、(ｂ)および(ｃ)は、ディテントバネの正面図、(ａ)中のｂ−ｂ線断面図、および側面図。
【図１０】(ａ)、(ｂ)および(ｃ)は、モジュールホルダの正面図、(ａ)中のｂ−ｂ線断面図、および要部拡大断面図。
【図１１】(ａ)および(ｂ)は、カメラモジュールアセンブリの動作態様を示す正面図、および(ａ)中のｂ−ｂ線断面図。
【図１２】(ａ)および(ｂ)は、カメラモジュールアセンブリの動作態様を示す正面図、および(ａ)中のｂ−ｂ線断面図。
【図１３】(ａ)および(ｂ)は、カメラモジュールアセンブリの動作態様を示す正面図、および(ａ)中のｂ−ｂ線断面図。
【図１４】(ａ)および(ｂ)は、従来の電子機器の一例である携帯電話機を示す外観斜視図。
【図１５】従来の携帯電話機におけるカメラモジュール等を示す外観斜視図。
【図１６】(ａ)はカメラモジュールのディテント機構を示す要部断面図、(ｂ)はホルダ部材を示す外観斜視図、(ｃ)はスライド部材を示す外観斜視図。
【符号の説明】
【００４８】
１…携帯電話機(電子機器)、
１Ｂ…背面ケース(機器筐体)、
１０…カメラモジュール(サブモジュール)、
１１…支承軸、
１１ｇ…係止溝、
１１ｈ…逃げ部、
２０…モジュールホルダ(機器筐体)、
２１…軸受孔、
２１ｄ…ディテント溝(他方側保持係合部)、
３０…ディテントバネ、
３０ｐ…係止爪、
３０ｄ…ディテント突起(一方側保持係合部)。
【００４９】
１００…カメラモジュールアセンブリ。
【図１】
0004874174.tif 000002
【図２】
0004874174.tif 000003
【図３】
0004874174.tif 000004
【図４】
0004874174.tif 000005
【図５】
0004874174.tif 000006
【図６】
0004874174.tif 000007
【図７】
0004874174.tif 000008
【図８】
0004874174.tif 000009
【図９】
0004874174.tif 000010
【図１０】
0004874174.tif 000011
【図１１】
0004874174.tif 000012
【図１２】
0004874174.tif 000013
【図１３】
0004874174.tif 000014
【図１４】
0004874174.tif 000015
【図１５】
0004874174.tif 000016
【図１６】
0004874174.tif 000017